(57)【要約】【課題】記録紙上における画像の位置を後処理位置から外れた位置に変更する際に、当該画像を移動させる際の制限を少なくし、当該画像の文字部分の明確性を維持した状態で画像の移動を可能にする。【課題を解決するための手段】画像形成装置１は、原稿読取部５と、後処理位置記憶部１０１と、文字画像検出部１０３と、位置検出部１０４と、文字画像位置と後処理位置とが一致する領域が有るか否かを判断する判断部１０５と、判断部１０５によって文字画像位置と後処理位置とが一致する領域が有ると判断されると、当該文字画像を、文字画像のスケールを維持した状態で、位置検出部１０４で検出される余白領域のうち、文字画像と同等以上の大きさで、後処理位置以外の位置の余白領域に移動させる配置変更部１０６とを備える。【選択図】図４
2013106110.tif 000002
【特許請求の範囲】
【請求項１】
画像データを取得する画像データ取得部と、
後処理部により記録紙上で後処理が行われる後処理位置を記憶する後処理位置記憶部と、
前記画像データ取得部によって取得された画像データの示す画像に含まれる文字画像を文字単位で検出する文字画像検出部と、
前記文字画像検出部によって検出された文字画像が、記録紙上において配置される文字画像位置と、当該文字画像が配置されていない余白領域の位置とを検出する位置検出部と、
前記位置検出部によって検出された文字画像位置と、前記後処理位置記憶部に記憶されている後処理位置とが一致する領域が有るか否かを判断する判断部と、
前記判断部によって前記文字画像位置と前記後処理位置とが一致する領域が有ると判断された場合、当該一致する領域を少なくとも一部に含んで位置する前記文字画像を、当該文字画像のスケールを維持した状態で、前記位置検出部によって検出される余白領域のうち、当該文字画像と同等以上の大きさからなり、前記後処理位置以外の位置にある余白領域に、文字単位で配置を変更する配置変更部と
を備えた画像処理装置。
【請求項２】
前記配置変更部は、前記一致する領域が有ると前記判断部によって判断された場合、当該一致する領域を少なくとも一部に含んで位置する前記文字画像が属する予め定められた範囲内にある文字画像群を、当該文字画像群に隣接する位置に検出される前記余白領域の方向に移動させ、前記余白領域を含んだ位置に配置を変更する請求項１に記載の画像処理装置。
【請求項３】
前記配置変更部は、前記予め定められた範囲を、前記一致する領域の幅と同等以下の幅とし、前記予め定められた範囲内にある文字画像群を、当該文字画像群に隣接する前記一致する領域とは反対側の位置で隣接する前記余白領域の方向に移動させ、前記余白領域を含んだ位置に配置を変更する請求項２に記載の画像処理装置。
【請求項４】
請求項１乃至請求項３のいずれかに記載の画像処理装置と、
前記画像データ取得部によって取得された画像データを画像形成する画像形成部と、
操作者に対して警告を行う警告部と、
前記判断部によって前記一致する領域が有ると判断され、かつ、前記位置検出部によって前記余白領域が検出されない場合に、前記警告部に警告を行わせる制御部と、
前記制御部の制御による前記警告部の警告後、操作者から前記画像データについて前記画像形成部による画像形成を実行するか否かの指示が入力される入力部とを備え、
前記制御部は、前記入力部に前記画像形成を実行する指示が入力された場合に、前記画像形成部に画像形成を実行させる画像形成装置。
【発明の詳細な説明】
【技術分野】
【０００１】
本発明は、画像処理装置及び画像形成装置に関し、特に、記録紙上における画像の配置を変更する画像処理に関する。
【背景技術】
【０００２】
従来、画像形成装置においては、下記特許文献１乃至特許文献３に示されるように、プリント対象データ等の示す画像を記録紙上に配置したときに、当該画像が配置される位置に、後処理装置によりパンチやステイプル等の後処理が行われる場合は、当該画像の配置を後処理位置から外れた位置に変更する画像処理が提案されている。
【先行技術文献】
【特許文献】
【０００３】
【特許文献１】特開２０００−９４７８０号公報
【特許文献２】特開平８−５３２６１号公報
【特許文献３】特開２００１−１７１１９５号公報
【発明の概要】
【発明が解決しようとする課題】
【０００４】
上記各特許文献に示された画像処理は、記録紙への画像形成実行前に、記録紙上における画像形成の対象となる画像の位置と、当該記録紙上における後処理位置とが重なるか否かを判断し、両者の位置が重なる場合には、当該画像全体を後処理位置以外の位置に移動させる又は縮小することによって、当該画像の位置を後処理位置から外れた位置に配置する。このため、画像全体を移動させる合には、移動対象となる画像全体は記録紙上において大きな面積を占めることから、移動可能な領域が制限されることが多い。また、画像全体を縮小させる場合は、縮小の程度によっては、当該画像に含まれる文字部分が不明確な画像となって文字を認識し難くなる(文字が潰れる)。
【０００５】
本発明は、上記の問題を解決するためになされたもので、記録紙上における画像の位置を後処理位置から外れた位置に変更する際に、当該画像を移動させる際の制限を少なくし、また、当該画像の文字部分の明確性を維持した状態で画像の移動を可能にすることを目的とする。
【課題を解決するための手段】
【０００６】
本発明の請求項１に記載の発明は、画像データを取得する画像データ取得部と、
後処理部により記録紙上で後処理が行われる後処理位置を記憶する後処理位置記憶部と、
前記画像データ取得部によって取得された画像データの示す画像に含まれる文字画像を文字単位で検出する文字画像検出部と、
前記文字画像検出部によって検出された文字画像が、記録紙上において配置される文字画像位置と、当該文字画像が配置されていない余白領域の位置とを検出する位置検出部と、
前記位置検出部によって検出された文字画像位置と、前記後処理位置記憶部に記憶されている後処理位置とが一致する領域が有るか否かを判断する判断部と、
前記判断部によって前記文字画像位置と前記後処理位置とが一致する領域が有ると判断された場合、当該一致する領域を少なくとも一部に含んで位置する前記文字画像を、当該文字画像のスケールを維持した状態で、前記位置検出部によって検出される余白領域のうち、当該文字画像と同等以上の大きさからなり、前記後処理位置以外の位置にある余白領域に、文字単位で配置を変更する配置変更部と
を備えた画像処理装置である。
【０００７】
この発明では、配置変更部による上記配置変更を、文字単位の文字画像として、当該配置変更の対象である文字画像を比較的小さな面積とするため、文字画像のスケールを維持した状態で、後処理位置から外れた位置に当該文字画像の配置変更を行う際に、当該文字画像の移動先とする余白領域の選択の余地が拡がる。このため、後処理位置から外れた位置に当該文字画像の配置変更を行う際に生じる制約が少なくなる。また、当該配置変更の対象となる文字画像が変形又は縮小されないため、文字画像中の文字の明確性が保たれ、文字情報が失われない。また、配置変更の対象を文字画像とし、文字画像以外の例えばイメージ画像は配置変更の対象としないので、当該配置変更時における画像移動の自由度は更に拡がる。パンチやステイプル等の後処理が行われた印刷物は複数人に配布されることが多く、当該印刷物の閲覧者は、文字情報を重視して閲覧することが多いと想定されるため、上記のように、イメージ画像を配置変更の対象としなくても、画像形成結果に与える実質的な影響は可及的に小さなものにできる。
【０００８】
また、請求項２に記載の発明は、請求項１に記載の画像処理装置であって、前記配置変更部は、前記一致する領域が有ると前記判断部によって判断された場合、当該一致する領域を少なくとも一部に含んで位置する前記文字画像が属する予め定められた範囲内にある文字画像群を、当該文字画像群に隣接する位置に検出される前記余白領域の方向に移動させ、前記余白領域を含んだ位置に配置を変更するものである。
【０００９】
この発明では、配置変更部が、上記予め定められた範囲にある文字画像群を配置変更の対象とするので、上記予め定められた範囲に属する文字画像群のレイアウト構成を変更することなく、移動時の制約が少ない状態で配置変更が可能である。
【００１０】
また、請求項３に記載の発明は、請求項２に記載の画像処理装置であって、前記配置変更部は、前記予め定められた範囲を、前記一致する領域の幅と同等以下の幅とし、前記予め定められた範囲内にある文字画像群を、当該文字画像群に隣接する前記一致する領域とは反対側の位置で隣接する前記余白領域の方向に移動させ、前記余白領域を含んだ位置に配置を変更するものである。
【００１１】
この発明では、配置変更部は、上記一致する領域の幅と同等以下の幅とされ、前記予め定められた範囲内にある文字画像群を、上記一致する領域とは反対側で当該文字画像群に隣接する余白領域の方向に移動させるので、文字画像群単位での配置変更を、最小のレイアウト変更で行うことが可能になる。
【００１２】
また、請求項４に記載の発明は、請求項１乃至請求項３のいずれかに記載の画像処理装置と、
前記画像データ取得部によって取得された画像データを画像形成する画像形成部と、
操作者に対して警告を行う警告部と、
前記判断部によって前記一致する領域が有ると判断され、かつ、前記位置検出部によって前記余白領域が検出されない場合に、前記警告部に警告を行わせる制御部と、
前記制御部の制御による前記警告部の警告後、操作者から前記画像データについて前記画像形成部による画像形成を実行するか否かの指示が入力される入力部とを備え、
前記制御部は、前記入力部に前記画像形成を実行する指示が入力された場合に、前記画像形成部に画像形成を実行させる画像形成装置である。
【００１３】
この発明では、警告部による上記警告後、制御部が、操作者からの画像形成を実行する指示に従って、画像形成部に画像形成を実行させるので、記録紙上における文字画像位置と後処理位置とが一致する領域があり、文字画像がパンチ等の後処理により欠けてしまう虞がある場合は、操作者に、このような状態での画像形成を行うか、或いは、当該画像形成を取り止めるかを選択する機会を与えることができる。
【発明の効果】
【００１４】
本発明によれば、記録紙上における画像の位置を後処理位置から外れた位置に変更する際に、当該画像を移動させる際の制限を少なくし、また、当該画像の文字部分の明確性を維持した状態で画像の移動を可能にすることができる。
【図面の簡単な説明】
【００１５】
【図１】本発明の一実施形態に係る画像形成装置の構造を示す正面断面図である。
【図２】画像形成装置の主要内部構成を概略的に示す機能ブロック図である。
【図３】画像形成装置による画像形成時における画像処理の第１実施形態を示すフローチャートである。
【図４】（Ａ）は画像処理が未処理の場合の記録紙上における原稿画像を示す図、（Ｂ）は画像処理後の記録紙上における原稿画像を示す図である。
【図５】（Ａ）は画像処理が未処理の場合の記録紙上における原稿画像を示す図、（Ｂ）は画像処理後の記録紙上における原稿画像を示す図である。
【図６】（Ａ）は画像処理が未処理の場合の記録紙上における原稿画像を示す図、（Ｂ）は画像処理後の記録紙上における原稿画像を示す図である。
【図７】（Ａ）は画像処理が未処理の場合の記録紙上における原稿画像を示す図、（Ｂ）は画像処理後の記録紙上における原稿画像を示す図である。
【図８】（Ａ）は画像処理が未処理の場合の記録紙上における原稿画像を示す図、（Ｂ）は画像処理後の記録紙上における原稿画像を示す図である。
【発明を実施するための形態】
【００１６】
以下、本発明の一実施形態に係る画像処理装置及び画像形成装置について図面を参照して説明する。図１は、本発明の一実施形態に係る画像形成装置の構造を示す正面断面図である。画像形成装置１は、例えば、コピー機能、プリンター機能、スキャナー機能、およびファクシミリ機能等の複数の機能を兼ね備えた複合機である。画像形成装置１は、装置本体１１に、画像形成部１２、定着装置１３、給紙部１４、用紙排出部１５、原稿給送部６、及び原稿読取部５等を備えて構成されている。画像形成装置１は、本発明の一実施形態に係る画像処理装置（後述）を備えている。
【００１７】
装置本体１１は、下部本体１１１と、この下部本体１１１の上方に対向配置された上部本体１１２と、この上部本体１１２と下部本体１１１との間に設けられた連結部１１３とを備えている。連結部１１３は、下部本体１１１と上部本体１１２との間に用紙排出部１５を形成させた状態で両者を互いに連結するための構造物であり、図１においては下部本体１１１の左部および後部から立設され、平面視でＬ字状とされている。上部本体１１２は、連結部１１３の上端部に支持されている。上部本体１１２には、原稿読取部５及び原稿給送部６が設けられている。
【００１８】
原稿読取部(画像読取部)５は、上部本体１１２の上面開口に装着された、原稿を載置するためのコンタクトガラス(原稿台)１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、ＣＣＤ（Charge Coupled Device）やＣＭＯＳ（ComplementaryMetal Oxide Semiconductor）等のイメージセンサーを用いて原稿の画像を光学的に読み取り、画像データを生成する。
【００１９】
原稿給送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出して原稿読取スリット５３に対向する位置へ搬送し、原稿読取スリット５３を介して読取機構１６３による読取を可能とした後、原稿排出部６６へと排出する。また、原稿搬送機構６５は、用紙反転機構が原稿を表裏反転させて原稿読取スリット５３と対向する位置へ再搬送することで、当該原稿の両面の画像を、原稿読取スリット５３を介して読取機構１６３により読取可能にしている。
【００２０】
さらに原稿給送部６は、その前面側が上方に移動可能となるように上部本体１１２に対して回動自在に設けられている。原稿給送部６の前面側を上方に移動させて原稿台としてのコンタクトガラス１６１上面を開放することにより、コンタクトガラス１６１の上面に読み取り原稿、例えば見開き状態にされた書籍等をユーザーが載置できるようになっている。
【００２１】
下部本体１１１には、画像形成部１２、定着装置１３および給紙部１４が内装されている。上部本体１１２には原稿読取部５が設けられている。給紙部１４は、装置本体１１に対して挿脱可能の給紙カセット１４２，１４３，１４４を有している。給紙カセット１４２，１４３，１４４には記録紙(記録媒体の一例)が積層されてなる用紙束がそれぞれ収容されている。例えば、給紙カセット１４２には両面白紙である未プリントの記録紙が収納され、給紙カセット１４３には一方面のみプリント済みであるが他方面は未プリントの白紙である使用済み用紙(裏紙)が収容されている。なお、本実施形態では、給紙カセット１４２，１４３，１４４の３段が設けられているが、給紙カセットの段数はこれに限定されない。
【００２２】
画像形成部１２は、給紙部１４から給紙された記録紙にトナー像を形成する画像形成動作を行う。画像形成部１２は、中間転写ベルト１２５の走行方向において上流側から下流側へ向けて順次配設された、マゼンタ色のトナーを用いるマゼンタ用の画像形成ユニット１２Ｍ、シアン色のトナーを用いるシアン用の画像形成ユニット１２Ｃ、イエロー色のトナーを用いるイエロー用の画像形成ユニット１２Ｙおよびブラック色のトナーを用いるブラック用の画像形成ユニット１２Ｂｋ（以下、各画像形成ユニットを区別することなく述べる場合には、それぞれを「画像形成ユニット１２０」と言う）と、駆動ローラー１２５ａ（二次転写対向ローラー）等の複数のローラー間に画像形成における副走査方向へ無端走行可能に張架された中間転写ベルト１２５と、中間転写ベルト１２５が駆動ローラー１２５ａに張架される部分で中間転写ベルト１２５の外周面に当接する二次転写ローラー２１０とを備えている。
【００２３】
各画像形成ユニット１２０は、感光体ドラム１２１と、感光体ドラム１２１へトナーを供給する現像装置１２２と、トナーを収容するトナーカートリッジ（不図示）と、帯電装置１２３と、露光装置１２４と、一次転写ローラー１２６と、ドラムクリーニング装置１２７とをそれぞれ一体的に備えている。
【００２４】
感光体ドラム１２１は、その周面に静電潜像およびこの静電潜像に沿ったトナー像を形成する。現像装置１２２は、感光体ドラム１２１へトナーを供給する。各現像装置１２２には、前記トナーカートリッジからトナーが適宜補給される。
【００２５】
帯電装置１２３は、感光体ドラム１２１の直下位置に設けられている。帯電装置１２３は、各感光体ドラム１２１の周面を一様に帯電させる。
【００２６】
露光装置１２４は、感光体ドラム１２１の下方位置であって、帯電装置１２３の更に下方位置に設けられている。露光装置１２４は、コンピューター等から入力された画像データや原稿読取部５が取得した画像データに基づく各色に対応したレーザ光を、帯電後の感光体ドラム１２１の周面に照射し、各感光体ドラム１２１の周面に静電潜像を形成する。露光装置１２４は、いわゆるレーザ露光装置であり、レーザビームを出力するレーザ光源と、当該レーザビームを感光体ドラム１２１表面に向けて反射させるポリゴンミラーと、ポリゴンミラーによって反射されたレーザ光を感光体ドラム１２１に導くためのレンズやミラー等の光学部品を備えている。
【００２７】
現像装置１２２は、矢印の方向へ回転する感光体ドラム１２１の周面の静電潜像にトナーを供給して当該トナーを積層させ、感光体ドラム１２１の周面に前記画像データに応じたトナー像を形成する。
【００２８】
中間転写ベルト１２５は、各感光体ドラム１２１の上方位置に配置されている。中間転写ベルト１２５は、図１における左側の駆動ローラー１２５ａと、同図の右側の従動ローラー１２５ｂとの間に無端走行可能に張架され、下方の外周面が各感光体ドラム１２１の周面に当接している。従動ローラー１２５ｂは、駆動ローラー１２５ａに対向する位置に設けられて、中間転写ベルト１２５の無端走行に伴って従動回転する。中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００２９】
中間転写ベルト１２５を挟んで各感光体ドラム１２１に対向する位置には、一次転写ローラー１２６が設けられている。この一次転写ローラー１２６には、図略の転写バイアス印加機構により転写バイアスが印加され、一次転写ローラー１２６は、各感光体ドラム１２１の外周周面に形成された上記トナー像を中間転写ベルト１２５の表面に転写させる。
【００３０】
駆動ローラー１２５ａは、図略の制御部による制御の下で駆動される駆動モータ(図略)から与えられる回転駆動力により中間転写ベルト１２５を無端走行させる。
【００３１】
制御部１００（図２）は、各色の毎に一次転写ローラー１２６及び画像形成ユニット１２０を駆動制御して、中間転写ベルト１２５の表面に、マゼンタ用の画像形成ユニット１２Ｍにより形成されたマゼンタのトナー像の転写と、次いで中間転写ベルト１２５の同一位置にシアン用の画像形成ユニット１２Ｃにより形成されたシアンのトナー像の転写と、次いで中間転写ベルト１２５の同一位置にイエロー用の画像形成ユニット１２Ｙにより形成されたイエローのトナー像の転写と、最後のブラック用の画像形成ユニット１２Ｂｋにより形成されたブラックのトナー像の転写とを、各色のトナー像が重なり合うように行わせ、これによりカラーのトナー像を中間転写ベルト１２５の表面に形成させる（中間転写（一次転写））。
【００３２】
二次転写ローラー２１０は、図略の転写バイアス印加機構により転写バイアスが印加されている。二次転写ローラー２１０は、中間転写ベルト１２５の表面に形成されたカラーの上記トナー像を、給紙部１４から搬送されてきた記録紙に転写させる。二次転写ローラー２１０は、中間転写ベルト１２５が駆動ローラー１２５ａに張架される部分の用紙搬送路１９０に、中間転写ベルト１２５の外周面に当接させて設けられている。二次転写ローラー２１０は、前記トナー像が記録紙に二次転写されるニップ部Ｎを、中間転写ベルト１２５を挟んで駆動ローラー１２５ａとの間に形成する。用紙搬送路１９０を搬送される記録紙は、ニップ部Ｎにおいて中間転写ベルト１２５と二次転写ローラー２１０とに押圧挟持され、ここにおいて中間転写ベルト１２５上のトナー像が記録紙に二次転写される。
【００３３】
なお、二次転写ローラー２１０及び駆動ローラー１２５ａのニップ部Ｎよりも、搬送ローラー１９２による記録紙の搬送方向上流側には、レジストローラー６３０が配設されている。レジストローラー６３０は、上部ニップ部Ｎにおける二次転写ローラー２１０による中間転写ベルト１２５からのトナー画像転写タイミングと、用紙搬送部４１１がニップ部Ｎに記録紙を搬送するタイミングを同期させるために、記録紙の搬送を待機等させるものである。
【００３４】
ドラムクリーニング装置１２７は、各感光体ドラム１２１の図１で左方位置に設けられ、感光体ドラム１２１の周面の残留トナーを除去してクリーニングする。このドラムクリーニング装置１２７によってクリーニングされた感光体ドラム１２１の周面は、新たな帯電処理のために再び帯電装置１２３へ向かう。
【００３５】
画像形成部１２に対して図１での左方位置には、上下方向に延びる用紙搬送路１９０が形成されている。用紙搬送路１９０には、適所に搬送ローラー１９２が設けられている。搬送ローラー１９２は、給紙部１４から繰り出された記録紙を、ニップ部Ｎ及び定着装置１３に向けて搬送する。すなわち、当該適所に配置された搬送ローラー１９２からなる搬送機構により記録紙が搬送される。
【００３６】
定着装置１３は、内部に加熱源である通電発熱体を備えた加熱ローラー１３２と、加熱ローラー１３２に対向配置された加圧ローラー１３４とを備えている。定着装置１３は、画像形成部１２で転写された記録紙上のトナー像に対し、記録紙が加熱ローラー１３２と加圧ローラー１３４との間の定着ニップ部を通過する間に、加熱ローラー１３２から熱を与えて定着処理を施す。定着処理の完了したカラー画像形成済みの記録紙は、定着装置１３の上部から延設された排紙搬送路１９４を通って、下部本体１１１の頂部に設けられた排出トレイ１５１へ向けて排出される。
【００３７】
なお、従動ローラー１２５ｂに張架された中間転写ベルト１２５の外周面に対向する位置にはクリーニング部２２が設けられている。
【００３８】
給紙部１４は、装置本体１１の図１における右側壁に開閉自在に設けられた手差しトレイ１４１と、下部本体１１１内における露光装置１２４より下方位置に挿脱可能に装着された給紙カセット１４２とを備えている。
【００３９】
手差しトレイ１４１は、下部本体１１１の右面の下方位置に設けられた、記録紙を手差し操作で画像形成部１２へ向けて給紙するためのトレイである。給紙カセット１４２，１４３，１４４は、複数枚の記録紙が積層されてなる用紙束を収容する。給紙カセット１４２の上方には、ピックアップローラー１４５が設けられ、ピックアップローラー１４５は、給紙カセット１４２，１４３，１４４に収容された用紙束の最上位の記録紙を用紙搬送路１９０へ向けて繰り出す。
【００４０】
用紙排出部１５は、下部本体１１１と上部本体１１２との間に形成されている。用紙排出部１５は、下部本体１１１の上面に形成された排出トレイ１５１を備える。排出トレイ１５１は、画像形成部１２でトナー像が形成された記録紙が、定着装置１３で定着処理が施された後に排出されるトレイである。
【００４１】
画像形成装置１は、更に、後処理装置６０を備える。後処理装置６０は、上記本体部２の排出ローラー対１１０から搬入されてきた用紙に対して、後処理としてパンチ処理を行うパンチ部６０１、搬入されてきた用紙を搬送する搬送ローラー６０２、搬送されてきた用紙を用紙束として一時的にストックする用紙受台（用紙ストック部）６０３、後処理装置６０は、搬送ローラー６０２によって搬送されてきた画像形成された用紙及び原稿の用紙を搬送する搬送ローラー６２０、用紙受台６０３から搬送されてきた用紙をメイン排出トレイ６２３に排出する排出ローラー対６０７、用紙に対する後処理が間に合わない場合に搬送されてきた用紙を退避させる退避ドラム６２１、図示しない昇降機構によって昇降可能にされると共に用紙受台６０３から搬送されてきた用紙と搬送ローラー６０２から直接搬送されてきた用紙を排出可能とされた複数のビンからなるメールボックス６２２及びメイン排出トレイ６２３、搬送ローラー６２０からの用紙の搬送方向を用紙受台６０３側とメールボックス６２２及びメイン排出トレイ６２３に用紙を排出する排出ローラー対６０７側とに切り換える搬送分岐ガイド６２４を備える。
【００４２】
さらに、後処理装置６０は、用紙受台６０３に搬入された用紙に後処理としてのステイプル処理を施すステイプル装置６２５、用紙受台６０３に搬入された用紙の下部端を受け止めて保持する受止部材６２６、用紙受台６０３から下部方向に向かって用紙を搬送する搬送ローラー６２７、搬送ローラー６２７から搬送されてきた用紙を中央で折りたたんでブック綴じするブック綴じ部６２８、及びブック綴じ部６２８でブック綴じされた用紙が排出される排出トレイ６２９を備える。
【００４３】
用紙受台６０３は、受止部材６２６を用紙の搬出方向に移動させる駆動部（図略）を備える。そして、制御部１００からの制御信号に応じて駆動部が駆動することにより、受止部材６２６で保持された用紙は、排出ローラー対６０７まで搬送され、排出ローラー対６０７によってメイン排出トレイ６２３に排出される。さらに、用紙受台６０３には、光センサー等からなる用紙検出センサー６２（図略）が設けられており、用紙受台６０３に用紙が存在するか否かが検出されるようになっている。
【００４４】
後処理装置６０には、用紙受台６０３に用紙を搬入する受台搬入ローラー（図略）と、用紙受台６０３への用紙の搬入を案内する可動案内部材及び静止案内部（図略）が、用紙の搬入方向に対して所定の間隔を置いて異なった位置に設けられている。これにより、サイズの異なる用紙や、用紙の向きにより搬送方向に対して長さの異なる用紙を、それぞれの用紙のサイズや向きに応じて用紙受台６０３に搬入する位置を変化させ、用紙の端部が揃った状態で用紙受台６０３に搬入すると共にステイプル装置６２５でのステイプル処理が可能にされている。
【００４５】
ステイプル装置６２５は、制御部１００からの制御信号により駆動する図示しない駆動部により移動可能に構成され、用紙受台６０３に搬入された用紙に通常のステイプル処理を行う場合は用紙の端付近の位置に移動させられると共に用紙の端付近にステイプル処理を施し、ブック綴じを行う場合には用紙の中央付近に移動させられると共に用紙の中央付近にステイプル処理を施して中綴じを行う。
【００４６】
ブック綴じ部６２８は、ステイプル装置６２５で中綴じされた用紙を載置する中綴じ受台６３５、搬送ローラー６２７から搬送されてきた用紙を中綴じ受台６３５へ搬入する搬送ローラー６３１、中綴じ受台６３５に載置された用紙の中央付近の表裏を挟み込むように相対して設けられた押し込み部材６３２及び中折ローラー対６３３、及び中折ローラー対６３３により中折されてブック綴じ状態にされた用紙を排出トレイ６２９へ排出する排出ローラー対６３４を備える。
【００４７】
押し込み部材６３２は、図示しない駆動部により移動可能に構成され、中折ローラー対６３３方向へ移動させられることにより、中央付近をステイプルによって中綴じされると共に中綴じ受台６３５に載置された用紙の中央付近を中折ローラー対６３３へ向かって押し込んで、中折するものである。
【００４８】
中折ローラー対６３３は、押し込み部材６３２により押し込まれた用紙を、折りたたんでブック綴じ状態にすると共に排出ローラー対６３４へ搬送し、排出ローラー対６３４によって、ブック綴じされた用紙が、排出トレイ６２９へ排出される。
【００４９】
昇降機構６０５は、制御部１００からの制御信号に応じてメイン排出トレイ６２３上に排出された用紙束の上面が、排出ローラー対６０７からの用紙束の排出に適した基準位置に位置するように、メイン排出トレイ６２３の位置を昇降するものである。
【００５０】
また、画像形成装置１においては、原稿及び画像形成された用紙を排出するメールボックス６２２の排出ビンを選択する設定、用紙に対する後処理の設定、及び画像転写後の用紙にブック綴じ処理を行う設定等は、操作者が操作パネル部（後述）から操作指示を入力することによって可能とされている。
【００５１】
次に、画像形成装置１の電気的構成を説明する。図２は画像形成装置１の主要内部構成を概略的に示す機能ブロック図である。
【００５２】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００５３】
制御ユニット１０は、原稿読取部５、画像処理部３１、画像メモリー３２、用紙搬送部４１１、画像形成部１２、操作部４７、ファクシミリ通信部７１、ネットワークインターフェイス部９１、ＨＤＤ（ハードディスクドライブ）８１等と接続されている。制御ユニット１０は、接続されている上記各機構の動作制御や、各機構との間での信号又はデータの送受信を行う。
【００５４】
制御ユニット１０は、上述した画像形成装置１の全体的な動作制御を司る制御部１００を備える。制御部１００は、ユーザーから操作部４７又はネッワーク接続されたパーソナルコンピューター等を通じて入力されるジョブの実行指示に従って、スキャナー機能、プリンター機能、コピー機能及びプリンター機能の各機能についての動作制御を実行するために必要な各機構部の駆動及び処理を制御する。
【００５５】
原稿読取部（画像データ取得部）５は、画像照射ランプ５１１及びＣＣＤ（電荷結合素子：Charge Coupled Device）センサー５１２を有する上記の読取機構１６３からなるスキャナー部５１を備える。原稿読取部５は、画像照射ランプ５１１により原稿を照射し、その反射光をＣＣＤセンサー５１２で受光することにより、原稿から画像を読み取る。
【００５６】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、予め定められた画像処理を行う。
【００５７】
画像処理部３１は、補正部３１１及び画像加工部３１２を備える。補正部３１１は、画像形成部１２の画像出力プロセスデータとしての帯電装置１２３の出力電圧、露光装置１２４の露光光量、現像装置１２２の現像バイアス電圧、転写ローラー１２６の転写バイアス、二次転写ローラー２１０の転写バイアス等の値を調整する。画像加工部３１２は、例えば、原稿読取部５で読み取られた画像データに対してレベル補正、ガンマ補正等の所定の補正処理を行い、或いは、画像データの圧縮又は伸張処理、及び拡大又は縮小処理等の種々の加工処理を行う。画像処理部３１により処理された画像データは、画像メモリー３２に記憶され、又は、画像形成部１２或いはファクシミリ通信部７１等に出力される。
【００５８】
画像メモリー３２は、上記原稿読取部５で読み取られた画像データ等を記憶する。
【００５９】
用紙搬送部４１１は、図１に示したピックアップローラー１４５及び搬送ローラー１９２等から構成され、手差しトレイ１４１，給紙カセット１４２，１４３に収納されている記録紙を画像形成部１２及び排出トレイ１５１まで搬送する。
【００６０】
画像形成部１２は、上述したように、画像形成ユニット１２Ｍ、１２Ｃ、１２Ｙ、１２Ｂｋと、駆動ローラー１２５ａに張架された中間転写ベルト１２５と、二次転写ローラー２１０と、定着装置１３とを備えている。画像形成部１２による出力対象となる画像データは、原稿読取部５で読み取られた画像データ、ネットワークインターフェイス部９１を介してローカルエリア内のクライアントコンピューター等から送信されてきた画像データ等から送信されてきた画像データ等である。
【００６１】
操作部４７は、図２に加えて図１にも示すように、画像形成装置１が実行可能な各種動作及び処理についてユーザーからの指示を受け付けるタッチパネル部及び操作キー部を備える。タッチパネル部は、タッチパネルが設けられたＬＣＤ（Liquid Crystal Display）等の表示部４７３を備えてなる。
【００６２】
ファクシミリ通信部７１は、図略の符号化／復号化部、変復調部及びＮＣＵ（Network Control Unit）を備え、公衆電話回線網を用いてのファクシミリの送信を行うものである。ファクシミリ通信部７１は、例えば原稿読取部５によって読み取られた原稿の画像データを、電話回線を介してファクシミリ装置等へ送信したり、ファクシミリ装置等から送信された画像データを受信する。
【００６３】
ＨＤＤ８１は、原稿読取部５によって読み取られた画像データ等を記憶する。ＨＤＤ８１に記憶されている画像データは、画像形成部１２による画像形成に用いられ、また、画像形成装置１にネットワーク接続されたクライアントコンピューターへの送信が可能である。
【００６４】
ネットワークインターフェイス部（画像データ取得部）９１は、ＬＡＮボード等の通信モジュールから構成され、当該ネットワークインターフェイス部９１に接続されたＬＡＮ等を介して、ローカルエリア内の装置(パーソナルコンピューター等)と種々のデータの送受信を行う。
【００６５】
また、制御ユニット１０は、更に、後処理位置記憶部１０１、文字画像検出部１０３、位置検出部１０４、判断部１０５、及び配置変更部１０６を備えている。制御ユニット１０内のメモリー又はＲＯＭ、或いはＨＤＤ８１等に記憶された画像処理プログラムに従ってＣＰＵが動作することで、これら各部として機能する。或いは、制御ユニット１０が上記各部に対応する専用のハードウェア回路等を備えることにより当該後処理位置記憶部１０１、文字画像検出部１０３、位置検出部１０４、判断部１０５、及び配置変更部１０６として機能するようにしてもよい。
【００６６】
後処理位置記憶部１０１は、後処理装置６０により記録紙上で後処理が行われる位置（以下、後処理位置という）を記憶している。後処理装置６０によって記録紙に対して行われる後処理の位置は後処理装置６０に予め設定されているため、工場出荷前の画像形成装置１の製造段階において、当該後処理が行われる位置を示す値（記録紙の全域の各位置をxy座標系により表す場合、後処理位置に対応する(x,y)座標等）が、製造者等により後処理位置記憶部１０１に保存される。
【００６７】
文字画像検出部１０３は、原稿読取部５による読取で得た原稿画像が示す画像から文字画像を文字単位で検出する。文字画像検出部１０３は、例えば、ＯＣＲ処理により、上記原稿画像に含まれる文字を示す文字画像を検出する。文字画像検出部１０３は、原稿読取部５によって読み取られた読取データが示す画像の各部分を、予め定められた複数の標準パターンのいずれに一致するかを照合し、一致するとされた当該標準パターンに対応付けられたキャラクターに変換するＯＣＲ処理を行う。例えば、文字画像検出部１０３は、文字や記号等のキャラクターを示す画像として、当該各文字や記号等毎に対応付けられたそれぞれの画像を示すパターンを上記標準パターンとして複数予め記憶している。文字画像検出部１０３は、当該標準パターンをテンプレートとして用い、原稿読取部５によって読み取られた読取データが示す画像の各部分に対して、当該テンプレートを重ねながら順次一致するか否かを照合し、標準パターンと当該各部分について画素データレベル対応の相関を調べることにより、当該テンプレートと同じ又は近似する画像部分を上記読取データから検出する(パターンマッチング)。文字画像検出部１０３は、このように検出したテンプレートと同じ又は近似する画像部分を、当該テンプレートに対応付けられたキャラクターに変換する。
【００６８】
但し、文字画像検出部１０３による文字単位での文字画像検出は、上記に限定されない。例えば、文字画像検出部１０３は、文字画像を判別する技術としては、例えば、エッジ検出処理の手法を用いることができる。この場合、文字画像検出部１０３は、原稿読取部５が得た読取データの示す画像を構成する各画素を順次注目画素とし、その注目画素と周辺画素を抽出して、それらの画素に対してエッジ検出フィルタを用いたフィルタ処理を施すことにより、画像の輪郭を構成するエッジ画素を検出するエッジ検出処理を行う。そして、文字画像検出部１０３は、このエッジ検出処理でエッジを検出した場合に、当該注目画素をエッジ画素と判定し、当該エッジ画素に基づいて文字画像を判定する。例えば、文字画像検出部１０３は、注目画素と、注目画素に隣接する8近傍画素との各々の輝度の差分値を算出し、所定の閾値よりも大きな値を有する差分値が、一定個数以上（例えば４個以上）ある場合、その注目画素は、文字画像を構成するエッジ画素であると判定する。文字画像検出部１０３は、当該エッジ画素が、予め定められた閾値以上存在する画像を文字画像として判別する。
【００６９】
位置検出部１０４は、上記文字画像検出部１０３により検出された文字画像が、記録紙上において配置される位置である文字画像位置を検出する。例えば、位置検出部１０４は、原稿読取部５による読取で得た原稿画像、又はネットワークインターフェイス部９１によりパーソナルコンピューター等から取得したプリント対象データの示す画像について、当該画像が記録紙上で配置される領域である画像領域の位置を検出し、更に当該画像領域内において文字画像が存在する文字画像を検出する。位置検出部１０４は、例えば、記録紙の全域の各位置をxy座標系により表す場合、当該文字画像位置を、当該文字画像位置に対応する(x,y)座標等により示す。位置検出部１０４は、上記画像領域における、上記ＯＣＲ処理により文字画像と検出された画像の位置を、文字単位で上記(x,y)座標等により記憶する。
【００７０】
さらに、位置検出部１０４は、上記画像領域において上記文字画像が配置されていない領域を余白領域として検出する。例えば、位置検出部１０４は、当該余白領域が存在する位置を上記(x,y)座標等により記憶する。
【００７１】
判断部１０５は、位置検出部１０４によって検出された文字画像位置と、後処理位置記憶部１０１に記憶されている後処理位置とが一致する領域が有るか否かを、文字画像検出部１０３によって検出された文字画像毎に判断する。例えば、判断部１０５は、後処理位置となっている領域と、文字画像位置となっている領域とが、全体又は一部で同一の領域を有する場合に、当該文字位置と後処理位置とが一致すると判断する。
【００７２】
配置変更部１０６は、判断部１０５によって文字画像位置と後処理位置とが一致する領域が有ると判断された場合、当該判断の対象とされた文字画像、すなわち、当該一致する領域を少なくとも一部に含んで位置する前記文字画像を、当該文字画像のスケールを維持した状態で、位置検出部１０４により検出される余白領域のうち、後処理位置以外の位置にある余白領域に、文字単位で配置を変更する。
【００７３】
なお、操作部（入力部）４７は、制御部１００による制御の下、後処理装置６０による後処理により記録紙上に画像形成される画像中の文字画像が損失するおそれがある旨のメッセージを表示部４７３が表示したとき、この表示後に、操作者から、上記原稿画像について画像形成部１２による画像形成を実行するか否かの指示の入力を受け付ける。なお、制御部１００は、操作部４７に、当該画像形成を実行する指示が受け付けられたときは、画像形成部１２に画像形成を実行させる。操作部４７に、当該画像形成を実行しない指示が受け付けられたときは、制御部１００は、画像形成部１２に画像形成を実行させることなく、当該原稿画像についてのプリントジョブを終了させる。
【００７４】
なお、本発明の一実施形態に係る画像処理装置は、少なくとも、後処理位置記憶部１０１、文字画像検出部１０３、位置検出部１０４、判断部１０５、及び配置変更部１０６を備えた装置部分をいう。
【００７５】
次に、画像形成装置１による画像形成時における画像処理の第１実施形態を説明する。図３は画像形成装置１による画像形成時における画像処理の第１実施形態を示すフローチャートである。図４〜図７は、（Ａ）は画像処理が未処理の場合の記録紙上における原稿画像を示す図、（Ｂ）は画像処理後の記録紙上における原稿画像を示す図である。
【００７６】
コピー動作時又はプリンター動作等において、原稿読取部５による読取、又はネットワークインターフェイス部９１によりパーソナルコンピューター等から取得したプリント対象データ等により、原稿画像が取得され、更に操作者による操作部４７の操作等で後処理装置６０によるパンチ又はステイプル等の後処理を実行する指示が入力されると（Ｓ１）、制御部１００が表示部４７３に、当該配置変更の画像処理を実行するか否かの指示の入力を促すメッセージを表示させる（Ｓ２）。
【００７７】
ここで、ユーザーによる操作部４７の操作等で、当該画像処理を実行する指示が入力され、制御部１００が当該指示を受け付けると(Ｓ３でＹＥＳ)、文字画像検出部１０３が、Ｓ１で取得された原稿画像から、文字画像を文字単位で検出する（Ｓ４）。なお、当該画像処理を実行する指示が操作者により入力されず、制御部１００が当該指示を受け付けない場合は(Ｓ３でＮＯ)、処理は終了する。上述したように、文字画像検出部１０３は、例えば、ＯＣＲ処理等により、上記原稿画像に含まれる文字を示す文字画像を文字毎に検出する。
【００７８】
続いて、位置検出部１０４は、Ｓ４において検出されたそれぞれの文字画像について、記録紙上における位置を検出する（Ｓ５）。例えば、位置検出部１０４は、画像形成部１２による画像形成時のプリント設定である、原稿サイズ、マージン領域、集約、枠消し、拡大・縮小等に基づいて、記録紙上において原稿画像が配置される位置、すなわちプリント対象データが画像形成される画像領域を算出し、当該例えば(X,Y)座標により示す。そして、位置検出部１０４は、当該原稿画像において文字画像を構成する各画素の位置から、当該原稿画像内における各文字画像の位置（文字画像位置）を検出し、当該検出した各文字画像位置を例えば(X,Y)座標により示す。当該検出した各文字画像位置の(X,Y)座標は、位置検出部１０４により、上記画像領域を示す(X,Y)座標から換算される。
【００７９】
さらに、位置検出部１０４は、当該文字画像が配置されていない領域を余白領域として検出し、例えば(X,Y)座標により示す（Ｓ６）。
【００８０】
判断部１０５は、Ｓ５で検出された文字画像位置と、後処理位置記憶部１０１に記憶されている後処理位置とが一致する領域が有るか否かを、各文字画像について、すなわち文字単位で判断する（Ｓ７）。上述したように、例えば、判断部１０５は、後処理位置となっている領域と、文字画像位置の示す領域（文字画像）とが、全体又は一部で同一の領域を有する場合に、当該文字位置と後処理位置とが一致する領域が有ると判断する。なお、判断部１０５は、Ｓ５で得られた文字画像の(x,y)座標と、後処理位置の(x,y)座標とにより示される各領域に基づいて当該判断を行う。
【００８１】
ここで、判断部１０５が、上記文字画像位置と上記後処理位置とが一致する領域を有していないと判断した場合は（Ｓ７でＮＯ）、制御部１００が、Ｓ１で取得された原稿画像を、後述する加工を行うことなく画像形成部１２に画像形成を行わせ、後処理装置６０に後処理を行わせる（Ｓ１４）。すなわち、文字画像位置と後処理位置とに一致する領域がないことは、後処理装置６０による後処理が記録紙上に画像形成される文字画像上には行われないことを示すため、この場合には、Ｓ１で得た原稿画像を加工することなく、画像形成部１２による画像形成が行われる。
【００８２】
一方、判断部１０５が、上記文字画像位置と上記後処理位置とが一致する領域を有していると判断した場合は（Ｓ７でＹＥＳ）、判断部１０５は、更に、当該後処理位置と一致する領域を有すると判断した文字画像位置から、予め定められた範囲内（例えば、当該文字画像位置に対して、(x,y)座標系においてx,y,-x,-y方向のいずれかに隣接する領域）に、当該文字画像の大きさと同等以上の大きさからなる余白領域があるか否かを判断する（Ｓ８）。判断部１０５は、Ｓ５で得られた文字画像の(x,y)座標と、Ｓ６で得られた余白領域の(x,y)座標とにより示される各領域に基づいて当該判断を行う。
【００８３】
ここで、判断部１０５が、上記要件を満たす余白領域があると判断した場合（Ｓ８でＹＥＳ）、配置変更部１０６は、後処理位置に一致する領域（少なくとも一致する領域を一部に含んでいればよい）を有する当該文字画像を、当該文字画像のスケールを維持した状態で（同一の大きさを保って）、当該余白領域が存在する領域に配置位置を変更する（Ｓ１５）。すなわち、配置変更部１０６は、当該文字画像をそのスケールを維持して当該余白領域の位置に移動させる。
【００８４】
図４（Ａ）に示すように、記録紙面に配置された原稿画像について、当該原稿画像に含まれる文字画像‘q’、文字画像‘r’、文字画像‘る’、文字画像‘れ’についての記録紙におけるそれぞれの配置位置（文字画像位置）と、記録紙上におけるパンチ処理（後処理）の位置が一致している場合、すなわち、文字画像‘q’及び文字画像‘r’からなる2文字分の文字画像の位置にパンチ穴ｐ１が形成され、文字画像‘る’及び文字画像‘れ’からなる2文字分の文字画像の位置にパンチｐ２が形成される場合を例にして、上記配置変更部１０６によるＳ１５での配置変更処理を説明する。
【００８５】
この例では、配置変更部１０６は、パンチ穴ｐ１に隣接し、文字画像‘q’及び文字画像‘r’と同等以上の大きさで検出されている余白領域ａ１，ａ２を、文字画像‘q’及び文字画像‘r’の移動先候補とする。そして、配置変更部１０６は、余白領域ａ１，ａ２のいずれか一方の位置に、文字画像‘q’及び文字画像‘r’からなる2文字分の文字画像を配置する。例えば、図４（Ｂ）に示すように、配置変更部１０６は、余白領域ａ２に、文字画像‘q’及び文字画像‘r’からなる2文字分の文字画像を移動させる。
【００８６】
同様に、配置変更部１０６は、パンチ穴ｐ２に隣接し、文字画像‘る’及び文字画像‘れ’と同等以上の大きさで検出されている余白領域ａ３を、文字画像‘る’及び文字画像‘れ’の移動先候補とする。そして、配置変更部１０６は、余白領域ａ３の位置に、文字画像‘る’及び文字画像‘れ’からなる2文字分の文字画像を配置する。
【００８７】
なお、配置変更部１０６は、文字画像‘q’及び文字画像‘r’からなる2文字分の文字画像をなす各文字画像の並び構成と、文字画像‘る’及び文字画像‘れ’からなる2文字分の文字画像とをなす各文字画像の並び構成を崩さずに、かつスケールを同一に保って移動させる。また、配置変更部１０６による当該配置変更の最小単位は1文字単位である。
【００８８】
また、判断部１０５が、上記要件を満たす余白領域がないと判断した場合（Ｓ８でＮＯ）、判断部１０５は、更に、当該文字画像を含む行単位からなる領域について、その側方に隣接する位置であって、当該文字画像を含む行の単位からなる領域から所定の範囲内（例えば、当該文字画像位置に対して、(x,y)座標系においてx,-x方向のいずれかの方向で隣接する領域）に、当該文字画像の大きさと同等以上の大きさからなる余白領域が、後処理位置とは異なる位置にあるかを判断する（Ｓ９）。
【００８９】
なお、本実施形態では、当該行単位としての領域は、位置検出部１０４によって検出された文字画像位置と、後処理位置記憶部１０１に記憶されている後処理位置とが一致する領域の幅ｗ(図５(Ａ)に示す)に相当する幅ｗ’(予め定められた範囲。当該行単位の幅は、当該一致する領域の幅と同等以下の幅であればよい)を有する例を示しているが、当該行単位としての領域を、上記幅ｗを超える幅を有するものとすることも可能である。
【００９０】
ここで、判断部１０５が、上記条件を満たす余白領域があると判断した場合（Ｓ９でＹＥＳ）、当該行単位からなる領域に属する文字画像群を、当該余白領域方向に移動させ、当該余白領域を含んだ位置に配置を変更する（Ｓ１６）。
【００９１】
図５（Ａ）に示すように、記録紙面に配置された原稿画像について、当該原稿画像に含まれる文字画像‘ｆ’、文字画像‘ｇ’、イメージ画像ｉについての記録紙におけるそれぞれの配置位置と、記録紙上におけるパンチ処理の位置が一致している場合、すなわち、文字画像‘ｆ’及び文字画像‘ｇ’からなる2文字分の文字画像の位置にパンチ穴ｐ１が形成され、イメージ画像ｉの一部分ｉ１の位置にパンチｐ２が形成される場合を例にして、上記配置変更部１０６によるＳ１６での配置変更処理を説明する。
【００９２】
この例では、配置変更部１０６は、文字画像‘ｆ’及び文字画像‘ｇ’を含んでいる行を単位として、当該行単位の領域ｌに隣接し、文字画像‘ｆ’及び文字画像‘ｇ’と同等以上の大きさである余白領域ａ３を、当該行単位の領域ｌをなす文字画像群の移動先候補として検出する。そして、配置変更部１０６は、余白領域ａ３に向かう方向に、行単位の領域ｌをなす文字画像群を、余白領域ａ３の幅分（当該行の長さ方向における余白領域ａ３の長さ）だけ移動させ、余白領域ａ３の位置上に配置する。例えば、図５（Ｂ）に示すように、配置変更部１０６は、余白領域ａ３の上に重ねて、行単位の領域ｌを配置する。
【００９３】
但し、配置変更部１０６は、イメージ画像ｉにおいてパンチ穴ｐ３と重なっている一部分ｉ１については、当該配置変更処理を行わない。配置変更部１０６は、文字画像のみを当該配置変更処理の対象とする。
【００９４】
なお、配置変更部１０６は、行単位の領域ｌをなす各文字画像の並び構成を崩さずに、かつスケールを同一に保って移動させる。
【００９５】
また、判断部１０５が、Ｓ９における上記条件を満たす余白領域がないと判断した場合は（Ｓ９でＮＯ）、判断部１０５は、更に、当該文字画像を含む予め定められたブロック（例えば、文字画像3行分等）単位からなる領域について、当該領域から予め定められた範囲内（例えば、当該ブロック単位からなる領域に対して、(x,y)座標系においてy,-y方向のいずれかの方向で隣接又は接触する領域）に、当該ブロック単位からなる領域の大きさと同等以上の大きさからなる余白領域が、後処理位置とは異なる位置にあるかを判断する（Ｓ１０）。
【００９６】
但し、当該Ｓ１０における余白領域の検出では、配置変更部１０６は、原稿画像における当該ブロック単位からなる領域を、文字画像が配置されていない領域として扱う。
【００９７】
判断部１０５は、Ｓ１０における条件を満たす余白領域があると判断した場合（Ｓ１０でＹＥＳ）、当該ブロック単位からなる領域に属する文字画像群を、当該余白領域の位置に移動させる（Ｓ１７）。
【００９８】
図６（Ａ）に示すように、記録紙面に配置された原稿画像について、当該原稿画像に含まれる文字画像‘１’、文字画像‘２’についての記録紙における配置位置と、記録紙上におけるパンチ処理の位置が一致している場合、すなわち、文字画像‘１’及び文字画像‘２’からなる2文字分の文字画像の位置にパンチ穴ｐ１が形成される場合を例にして、上記配置変更部１０６によるＳ１７での配置変更処理を説明する。
【００９９】
この例では、配置変更部１０６は、文字画像‘１’及び文字画像‘２’を含む行と、当該行に対してy,-y方向で隣接する各行とからなる文字画像3行分をブロック単位の領域ｂとする。配置変更部１０６は、当該ブロック単位の領域ｂに隣接し、ブロック単位の領域ｂと同等以上の大きさである余白領域ａ４(２点鎖線で示す領域)を、当該ブロック単位の領域ｂ(破線で示す領域)をなす文字画像群の移動先候補として検出する。そして、配置変更部１０６は、余白領域ａ４に、ブロック単位の領域ｂをなす文字画像群を移動させる。例えば、図６（Ｂ）に示すように、配置変更部１０６は、余白領域ａ４の位置にブロック単位の領域ｂを重ねて配置する。上述したように、配置変更部１０６は、余白領域ａ４の検出時には、原稿画像におけるブロック単位の領域ｂを、文字画像が配置されていない領域として扱う。なお、図６(Ｂ)では、余白領域ａ４と領域ｂとが同等の大きさであることを示すが、両領域を明確に図示するために、各領域を示す両者の枠線は位置をずらして記載している。後述する図７(Ｂ)も同様である。
【０１００】
なお、図示はしていないが、配置変更部１０６が、(1)イメージ画像においてパンチ穴と重なっている部分について当該配置変更処理を行わない点、(2)ブロック単位の領域ｂをなす各文字画像の並び構成を崩さず、かつスケールを同一に保って移動させる点は、Ｓ１６の配置変更処理と同様である。
【０１０１】
また、判断部１０５は、Ｓ１０における条件を満たす余白領域がないと判断した場合（Ｓ１０でＮＯ）、更に、当該原稿画像全体の領域から予め定められた範囲内に、当該原稿画像全体の領域の大きさと同等以上の大きさからなる余白領域があるか否かを判断する（Ｓ１１）。
【０１０２】
当該Ｓ１１における余白領域の検出では、配置変更部１０６は、原稿画像における当該原稿画像全体が配置されている領域は、文字画像が配置されていない領域として扱う。さらに、配置変更部１０６は、当該原稿画像全体の領域の大きさと同等以上の大きさからなる領域であって、少なくとも当該原稿画像全体の領域における文字画像部分を、後処理位置とは異なる位置に配置できる領域を、Ｓ１１における余白領域とする。配置変更部１０６は、イメージ画像の位置が後処理位置に一致を有することになる場合であっても、Ｓ１１における余白領域の条件は満たしているものとする。
【０１０３】
判断部１０５は、Ｓ１１における条件を満たす余白領域があると判断した場合（Ｓ１１でＹＥＳ）、当該原稿画像全体を当該余白領域の位置に配置を変更する（Ｓ１８）。
【０１０４】
図７（Ａ）に示すように、記録紙面に配置された原稿画像について、当該原稿画像に含まれる文字画像‘ｑ’、文字画像‘ｒ’についての記録紙における配置位置と、イメージ画像ｉについての記録紙におけるそれぞれの配置位置と、記録紙上におけるパンチ処理の位置が一致している場合、すなわち、文字画像‘ｑ’及び文字画像‘ｒ’からなる2文字分の文字画像の位置にパンチ穴ｐ１が形成され、イメージ画像ｉの一部分ｉ１の位置にパンチｐ２が形成される場合を例にして、上記配置変更部１０６によるＳ１８での配置変更処理を説明する。
【０１０５】
この例では、配置変更部１０６は、原稿画像全体の領域ｃに隣接し、当該原稿画像全体の領域ｃと同等以上の大きさである余白領域ａ５を、当該原稿画像全体の移動先候補として検出する。上述したように、配置変更部１０６は、余白領域ａ５の検出時には、原稿画像全体の領域ｃを、画像が配置されていない領域として扱う。配置変更部１０６は、イメージ画像の位置が後処理位置に一致を有していても、Ｓ１８における配置変更処理では余白領域の条件は満たしているとする。
【０１０６】
そして、配置変更部１０６は、余白領域ａ５に、原稿画像全体を移動させる。例えば、図７（Ｂ）に示すように、配置変更部１０６は、余白領域ａ５の上に重ねて、原稿画像全体を配置する。このとき、配置変更部１０６は、イメージ画像については、パンチ穴と重なっていても、当該原稿画像全体を移動させる処理を行う。なお、配置変更部１０６が、原稿画像を構成する各文字画像及びイメージ画像の並び構成を崩さず、かつスケールを同一に保って移動させる点は、Ｓ１６及びＳ１７の配置変更処理と同様である。
【０１０７】
そして、上記Ｓ１５，Ｓ１６，Ｓ１７，Ｓ１８の処理後は、制御部１００が、当該処理後の原稿画像についての画像形成を画像形成部１２に行わせ、後処理装置６０に後処理を行わせる（Ｓ１４）。
【０１０８】
一方、判断部１０５が、Ｓ１１における条件を満たす余白領域がないと判断した場合（Ｓ１１でＮＯ）、制御部１００は、表示部４７３に、当該画像処理が不可能である旨のメッセージと、当該画像処理を行っていない原稿画像について画像形成を実行するか否かを示す指示の入力を促す旨のメッセージとを表示させて、操作者に対する警告を行う（Ｓ１２）。
【０１０９】
操作者により、当該画像処理を行っていない原稿画像について画像形成を実行する指示が操作部４７入力されると(Ｓ１３でＹＥＳ)、制御部１００が、当該画像処理を行っていないＳ１で得られた原稿画像の画像形成を画像形成部１２に行わせ、後処理装置６０に後処理を行わせる（Ｓ１４）。一方、操作者からは、当該画像処理を行っていない原稿画像について画像形成を実行する指示が操作部４７入力されない場合は(Ｓ１３でＮＯ)、画像形成部１２による当該原稿画像の画像形成は行われずに処理が終了する。
【０１１０】
この実施形態によれば、配置変更部１０６による上記配置変更は、文字単位の文字画像で行われ、当該配置変更の対象である文字画像は比較的小さな面積になるため、文字画像のスケールを維持した状態で当該文字画像を配置変更するために必要となる余白領域の面積が小さくなる。このため、当該文字画像の配置変更を行う際の面積的な制約は比較的小さくなる。また、当該配置変更の対象となる文字画像が変形又は縮小されないため、文字画像中の文字の明確性を保って、文字情報が失われないようにすることが可能である。また、配置変更の対象を文字画像とし、文字画像以外のイメージ画像部分は配置変更の対象としないので、当該配置変更時における画像移動の自由度を広げることができる。なお、この場合、パンチやステイプル等の後処理が行われた印刷物の閲覧者は、文字情報を重視して閲覧することが多いと想定されるため、画像形成結果に与える影響を可及的に小さなものとしつつ、配置変更時における画像移動の自由度を広げることができる。
【０１１１】
また、上記に示した一連の処理では、配置変更部１０６が、ブロック単位の領域ｂを予め定められた範囲として、当該領域bを構成する文字画像群を、文字画像以外のイメージ画像部分を対象とせずに配置変更することを、本発明の一実施形態としている。このため、上記ブロック単位の予め定められた範囲にある文字画像群という単位で、その範囲内に含まれる画像の構成を変更することなく、上記のように拡がった移動自由度で配置変更を行うことができる。
【０１１２】
また、上記に示した一連の処理では、配置変更部は、上記一致する領域の幅に相当する幅からなる行単位の領域ｌを上記予め定められた範囲として、当該領域ｌにある文字画像群を、当該文字画像群に隣接した位置する、上記文字画像と後処理位置が一致する領域とは反対側の位置で隣接する余白領域ａ３の方向に移動させることを本発明の一実施形態としている。このため、後処理位置から文字画像を退避させる場合における文字画像群単位での配置変更を、最小のレイアウト変更で行うことが可能になる。
【０１１３】
また、上記に示した一連の処理では、表示部４７３を警告部としての上記警告後、制御部１００が、画像形成を実行する指示を、操作部４７を介して操作者から受け付けた場合に、画像形成部１２に画像形成を実行させることを本発明の一実施形態としている。このため、記録紙上における文字画像位置と後処理位置とが一致する領域が発生し、文字画像がパンチ等の後処理により欠けてしまう虞がある場合は、操作者に、このような状態での画像形成を行うか、或いは、当該画像形成を取り消すかを選択する機会を与えることができる。
【０１１４】
なお、本発明は上記実施の形態の構成に限られず種々の変形が可能である。例えば、上記実施形態では、文字単位での文字画像、行単位での領域、ブロック単位での領域等に隣接して位置する余白領域を用いて、これら文字画像及び領域の配置を変更しているが、例えば、図８（Ａ）に示すように、配置変更部１０６は、パンチ穴ｐ１の位置と一致する領域を有する文字画像‘ｆ’‘ｇ’に隣接する位置に余白領域が存在しない場合であっても、上記配置変更の対象となる文字画‘ｆ’‘ｇ’から離れた位置であっても、原稿画像のいずれかの部分に余白領域ａ６が存在する場合は、図８（Ｂ）に示すように、当該余白領域ａ６に、上記文字画像‘ｆ’‘ｇ’の配置を同一スケールを保って変更してもよい。例えば当該処理は、上記図３に示した処理において、Ｓ８でＮＯとなった場合に、操作者により操作部４７から入力される当該処理を行うか、又はＳ９の処理を行うかを選択する指示に従って実行することが可能である。
【０１１５】
本発明に係る画像形成装置を複合機として説明しているが、本発明に係る画像形成装置はこれに限定されない。例えば、本発明に係る画像形成装置は、コピー機、ファクシミリ装置等であっても構わない。
【０１１６】
なお、図１乃至図８を用いて上記各実施形態により示した構成及び処理は、本発明の一実施形態に過ぎず、本発明を当該構成及び処理に限定する趣旨ではない。
【符号の説明】
【０１１７】
１        画像形成装置
５        原稿読取部
１０      制御ユニット
１２      画像形成部
６０      後処理装置
１００    制御部
１０１    後処理位置記憶部
１０２    領域検出部
１０３    文字画像検出部
１０４    位置検出部
１０５    判断部
１０６    配置変更部
４７３    表示部
【図１】
2013106110.tif 000003
【図２】
2013106110.tif 000004
【図３】
2013106110.tif 000005
【図４】
2013106110.tif 000006
【図５】
2013106110.tif 000007
【図６】
2013106110.tif 000008
【図７】
2013106110.tif 000009
【図８】
2013106110.tif 000010